(57)【要約】【課題】本発明は立体映像表示装置を提供する。【解決手段】本発明の立体映像表示装置は上部基板、及び前記上部基板と重畳される画素アレイ領域と前記画素アレイ領域外のパッド領域を有する下部基板を含む表示パネルと、前記表示パネルからの光を第１偏光と第２偏光に分割するパターンドリターダを備えて、前記パッド領域は、前記画素アレイ領域のデータラインから延長されるデータパッドが形成される第１領域と、前記画素アレイ領域のゲートラインから延長されるゲートパッドが形成される第２領域を含み、前記第１領域は前記表示パネルと前記パターンドリターダの合着の時露出することを特徴とする。【選択図】図８
2011034045.tif 000002
【特許請求の範囲】
【請求項１】
上部基板、および前記上部基板と重畳される画素アレイ領域と前記画素アレイ領域外のパッド領域を有する下部基板を含み、左目イメージ及び右目イメージを表示する表示パネルと、
前記表示パネル上に附着し、リターダパターンを含み前記表示パネルからの光を第１偏光と第２偏光に分割するパターンドリターダを備え、
前記パッド領域は、前記画素アレイ領域のデータラインから延長されるデータパッドが形成される第１領域と、前記画素アレイ領域のゲートラインから延長されるゲートパッドが形成される第２領域とを含み、
前記表示パネルと前記パターンドリターダとが合着されている時に、前記第１領域は露出することを特徴とする立体映像表示装置。
【請求項２】
前記表示パネルと前記パターンドリターダとが合着されている時に、前記第２領域は前記パターンドリターダによって覆われられることを特徴とする、請求項１記載の立体映像表示装置。
【請求項３】
前記パターンドリターダの縦サイズは、
前記下部基板の縦サイズより小さく、前記上部基板の縦サイズと同一であるかまたは前記上部基板の縦サイズより大きいことを特徴とする、請求項２記載の立体映像表示装置。
【請求項４】
前記パターンドリターダの横サイズは前記下部基板の横サイズと同一であるかまたは前記下部基板の横サイズより大きいことを特徴とする、請求項３記載の立体映像表示装置。
【請求項５】
前記表示パネルと前記パターンドリターダとが合着されている時に、前記第２領域は露出することを特徴とする、請求項１記載の立体映像表示装置。
【請求項６】
前記パターンドリターダの縦サイズは、
前記下部基板の縦サイズより小さく、前記上部基板の縦サイズと同一であるとかまたは前記上部基板の縦サイズより大きいことを特徴とする、請求項５記載の立体映像表示装置。
【請求項７】
前記パターンドリターダの横サイズは、
前記下部基板の横サイズより小さく、前記上部基板の横サイズと同一であるかまたは前記上部基板の横サイズより大きいことを特徴とする、請求項６記載の立体映像表示装置。
【請求項８】
前記パターンドリターダの厚さは３ｍｍ以下であることを特徴とする、請求項１記載の立体映像表示装置。
【請求項９】
前記パターンドリターダは、前記表示パネルとの合着の時に前記上部基板または前記下部基板に形成されたアラインマークに対応される位置に複数のアラインキーと反射フィルムとを備えており、
前記アラインキーは前記リターダパターンと同一な材料で形成されて、前記反射フィルムは前記アラインキーと重畳されるが前記アラインキーより大きく形成されることを特徴とする、請求項１記載の立体映像表示装置。
【発明の詳細な説明】
【技術分野】
【０００１】
本発明は立体映像を具現することができる立体映像表示装置に関する。
【背景技術】
【０００２】
立体映像表示装置は両眼視差方式（ｓｔｅｒｅｏｓｃｏｐｉｃ ｔｅｃｈｎｉｑｕｅ）または複合視差知覚方式（ａｕｔｏｓｔｅｒｅｏｓｃｏｐｉｃ ｔｅｃｈｎｉｑｕｅ）を利用して立体映像を具現する。
【０００３】
両眼視差方式は立体効果が大きい左右目の視差映像を利用して、眼鏡方式と無眼鏡方式があって二つの方式が実用化されている。眼鏡方式は直視型表示素子に左右視差映像の偏光方向を変えて表示して、偏光眼鏡を使って立体映像を具現する。無眼鏡方式は一般的に左右視差映像の光軸を分離するためのパララックスバリヤなどの光学板を表示画面の前にまたは後に設置する方式である。
【０００４】
眼鏡方式は図１のように表示パネル２上の偏光眼鏡（図示せず）に入射される光の偏光特性を切り替えるためのパターンドリターダ（Ｐａｔｔｅｒｎｅｄ Ｒｅｔａｒｄｅｒ）３を含むことができる。眼鏡方式は表示パネル２に左目イメージと右目イメージを交互に表示してパターンドリターダ３を通じて偏光眼鏡に入射される偏光特性を切り替える。これを通じて、眼鏡方式は左目イメージと右目イメージを空間的に分割して３Ｄ映像を具現することができる。図１で図面符号‘１’は表示パネル２に光を照射するバックライトユニットを示す。
【０００５】
表示パネル２は図２及び図３のように上部基板２Ａと下部基板２Ｂを含む。下部基板２Ｂの表示領域にはデータラインとゲートラインの交差領域ごとに画素が形成されて、表示領域外のパッド領域にはデータラインから延長されるデータパッドとゲートラインから延長されるゲートパッドが形成される。データパッドはソースＩＣ５に電気的に接続されて、ゲートパッドはゲートＩＣ７に電気的に接続される。ソースＩＣ５はテープフィルムタイプのソースＴＣＰ（Ｔａｐｅ Ｃａｒｒｉｅｒ Ｐａｃｋａｇｅ）４に実装された後ＴＡＢ（Ｔａｐｅ Ａｕｔｏｍａｔｅｄ Ｂｏｎｄｉｎｇ）工程を通じてデータパッドに接続される。以下、ソースＴＣＰ４でソースＩＣ５がデータパッドと接続された部分を"ソースＴＡＢ" と称する。ゲートＩＣ７はテープフィルムタイプのゲートＴＣＰ６に実装された後ＴＡＢ工程を通じてゲートパッドに接続される。以下、ゲートＴＣＰ６でゲートＩＣ７がゲートパッドと接続された部分を"ゲートＴＡＢ"と称する。上部基板２Ａの上、及び下部基板２Ｂの下にはそれぞれ偏光フィルム（ＰＯＬ）が附着する。
【０００６】
パターンドリターダ３は図２及び図３のようにガラス材質の基板を基底層にして上部基板２Ａの偏光フィルム（ＰＯＬ）上に附着する。パターンドリターダ３は表示パネル２との合着後耐振動性または耐衝撃性を確保するため、通常表示パネル２より同一であるとか大きいサイズを有する。すなわち、合着された状態で、パターンドリターダ３の横サイズ（Ｘ’）は表示パネル２の横サイズ（Ｘ）以上であり、パターンドリターダ３の縦サイズ（Ｙ’）は表示パネル２の縦サイズ（Ｙ）以上である。
【発明の概要】
【発明が解決しようとする課題】
【０００７】
しかし、前記のようにパターンドリターダ３のサイズを表示パネル２より大きくした状態でパターンドリターダ３と表示パネル２を合着すれば、合着後図４及び図５のようにソースＴＡＢやゲートＴＡＢに損傷または不良が発生されてもこれらに対するリペア工程を実施することができない。その結果、合着後ソースＴＡＢやゲートＴＡＢに損傷または不良が発生される場合、パターンドリターダ３が合着された表示パネル２を廃棄するしかなくて、大きな費用損失が招来されるという問題があった。
【０００８】
そこで、本発明は、前記問題に鑑みてなされたものであり、本発明の目的とするところは、パターンドリターダが附着した状態でＴＡＢリペアを可能にする立体映像表示装置を提供するのにある。
【課題を解決するための手段】
【０００９】
前記課題を解決するために、本発明の立体映像表示装置は、上部基板、及び前記上部基板と重畳される画素アレイ領域と前記画素アレイ領域外のパッド領域を有する下部基板を含み左目イメージ及び右目イメージを表示する表示パネルと、前記表示パネル上に附着してリターダパターンを含み前記表示パネルからの光を第１偏光と第２偏光に分割するパターンドリターダを備えて、前記パッド領域は、前記画素アレイ領域のデータラインから延長されるデータパッドが形成される第１領域と、前記画素アレイ領域のゲートラインから延長されるゲートパッドが形成される第２領域を含み、前記第１領域は前記表示パネルと前記パターンドリターダの合着の時露出する。
【００１０】
前記表示パネルと前記パターンドリターダの合着の時、前記第２領域は前記パターンドリターダによって覆われられる。
【００１１】
この場合、前記 パターンドリターダの縦サイズは、前記下部基板の縦サイズより小さく、前記上部基板の縦サイズと同一であるかまたは前記上部基板の縦サイズより大きく、前記パターンドリターダの横サイズは前記下部基板の横サイズと同一であるかまたは前記下部基板の横サイズより大きい。
【００１２】
前記表示パネルと前記パターンドリターダの合着の時前記第２領域は露出する。
【００１３】
この場合、前記パターンドリターダの縦サイズは、前記下部基板の縦サイズより小さく、前記上部基板の縦サイズと同一であるかまたは前記上部基板の縦サイズより大きく、前記パターンドリターダの横サイズは、前記下部基板の横サイズより小さく、前記上
部基板の横サイズと同一であるかまたは前記上部基板の横サイズより大きい。
【００１４】
そして、前記パターンドリターダの厚さは３ｍｍ以下であるのが望ましい。
【００１５】
前記パターンドリターダは合着の時前記上部基板または前記下部基板に形成されたアラインマークに対応される位置に複数のアラインキーと反射フィルムを備えて、前記アラインキーは前記リターダパターンと同一な材料に形成されて、前記反射フィルムは前記アラインキーと重畳されるが前記アラインキーより大きく形成される。
【発明の効果】
【００１６】
以上説明したように本発明に係る立体映像表示装置は、パターンドリターダのサイズ調節を通じて表示パネルにパターンドリターダが合着された状態でソースＴＡＢを露出させる、または、ソースＴＡＢとゲートＴＡＢを共に露出させる。その結果、本発明に係る立体映像表示装置では、表示パネルにパターンドリターダが合着された以後にソースＴＡＢまたはゲートＴＡＢに損傷または不良が発生されてもこれらに対するリペア工程が可能になり、従来ＴＡＢ不良が発生した表示パネルを廃棄処分したことに比べて費用節減面で大きい効果がある。
【図面の簡単な説明】
【００１７】
【図１】眼鏡方式の立体映像表示装置を概略的に示す図である。
【図２】従来の立体映像表示装置でパターンドリターダの横及び縦サイズを表示パネルの横及び縦サイズと比べて示す図である。
【図３】従来の立体映像表示装置でパターンドリターダの横及び縦サイズを表示パネルの横及び縦サイズと比べて示す図である。
【図４】ソースＴＡＢ及びゲートＴＡＢがパターンドリターダによって覆われられることで合着の後にはリペアが不可能であることを示す図である。
【図５】ソースＴＡＢ及びゲートＴＡＢがパターンドリターダによって覆われられることで合着の後にはリペアが不可能であることを示す図である。
【図６】本発明に係る立体映像表示装置を示すブロック図である。。
【図７】表示パネルとパターンドリターダの一つの合着例を示す図である。
【図８】図７の合着段階でパターンドリターダの横及び縦サイズを表示パネルの横及び縦サイズと比べて示す図である。
【図９】表示パネルとパターンドリターダの他の合着例を示す図である。
【図１０】図９の合着段階でパターンドリターダの横及び縦サイズを表示パネルの横及び縦サイズと比べて示す図である。
【図１１】合着段階でソースＴＡＢまたはゲートＴＡＢが露出されることでリペアができることを示す図である。
【図１２】合着段階でソースＴＡＢまたはゲートＴＡＢが露出されることでリペアができることを示す図である。
【発明を実施するための形態】
【００１８】
以下に添付図面の図６乃至図１２を参照しながら、本発明の好適な実施の形態について詳細に説明する。なお、本明細書及び図面において、実質的に同一の機能構成を有する構成要素については、同一の符号を付することにより重複説明を省略する。
【００１９】
図６は本発明の実施形態に係る立体映像表示装置を示すブロック図ある。
【００２０】
図６を参照すれば、本発明の実施形態に係る立体映像表示装置は偏光眼鏡１０、表示パネル２０、偏光フィルム（ＰＯＬ）、及びパターンドリターダ３０を備える。
【００２１】
表示パネル２０は液晶表示パネルで具現される。一方、表示パネル２０は有機発光ダイオード表示装置（ＯＬＥＤ）、電界放出表示装置（ＦＥＤ）、プラズマディスプレーパネル（ＰＤＰ）などのような他の平板表示装置の表示パネルでも具現されることができる。
【００２２】
表示パネル２０はＴＦＴアレイが形成された下部基板、カラーフィルターアレイが形成された上部基板、及び下部基板と上部基板の間に挟持された液晶層を備える。下部基板の、バックライトユニットと対面する面には偏光フィルム（図示せず）が附着しており、液晶層と接する界面には液晶のフリーチルト角を設定するための配向膜が形成される。上部基板の、パターンドリターダ３０と対面する面には偏光フィルム（ＰＯＬ）が附着して、液晶層と接する界面には液晶のフリーチルト角を設定するための配向膜が形成される。
【００２３】
下部基板にはデータ電圧が供給されるデータラインと、データラインと交差されてデータ電圧に同期されるゲートパルスが順次に供給されるゲートラインが形成される。イメージ表示のための下部基板の画素アレイ領域で、データラインとゲートラインの交差領域ごとに画素電極が形成される。画素電極はＴＦＴアレイのＴＦＴに接続されてデータラインからデータ電圧の供給を受ける。画素電極は共通電圧が印加される共通電極と対面して液晶層に電界を印加する。共通電極はＴＮモードとＶＡモードのような垂直電界駆動方式で上部基板上に形成されて、ＩＰＳモードとＦＦＳモードのような水平電界駆動方式で画素電極とともに下部基板上に形成される。下部基板で画素アレイ領域外のパッド領域にはデータラインから延長されるデータパッドとゲートラインから延長されるゲートパッドが形成される。データパッドはソースＩＣに電気的に接続されて、ゲートパッドはゲートＩＣに電気的に接続される。ソースＩＣはテープフィルムタイプのソースＴＣＰに実装された異方性導電フィルムを利用したＴＡＢ工程を通じてデータパッドに接続される。以下、図１１のようにソースＴＣＰでソースＩＣがデータパッドと接続された部分を"ソースＴＡＢ" と称する。ゲートＩＣはテープフィルムタイプのゲートＴＣＰに実装された後異方性導電フィルムを利用したＴＡＢ工程を通じてゲートパッドに接続される。以下、図１２のようにゲートＴＣＰでゲートＩＣがゲートパッドと接続された部分を"ゲートＴＡＢ"と称する。
【００２４】
表示パネル２０には左目イメージ（Ｌ）と右目イメージ（Ｒ）がラインバイライン（Ｌｉｎｅ ｂｙ ｌｉｎｅ）形態に交互に表示される。偏光フィルム（ＰＯＬ）は表示パネル２０の上部基板とパターンドリターダ３０の間に附着する検光子であり、表示パネル２０の液晶層を透過して入射される光で特定線偏光のみを透過させる。
【００２５】
パターンドリターダ３０はガラス材質の透明基板を基底層にして上部基板の偏光フィルム（ＰＯＬ）上に附着する。パターンドリターダ３０の合着にはＡｃｒｙｌａｔｅ Ｅｓｔｅｒｓ、Ａｃｒｙｌａｔｅ Ｕｒｅｔｈａｎｅｓ、Ｍｅｒｃａｐｔｏｎｓ ＆ ＰｈｏｔｏｉｎｉｔｉａｔｏｒなどのＵＶ硬化性樹脂が主に利用される。パターンドリターダ３０には合着の時表示パネル２０とのアラインのための反射フィルム及び少なくとも２個以上のアラインキーと、ライン単位に交互に形成された第１及び第２リターダパターンが形成されて、場合によってはブラックストライプパターンがさらに形成されることができる。
【００２６】
アラインキーはイメージ表示部分に形成される第１及び第２リターダパターンと同一な材料に形成されてまた、これらと同時に形成される。反射フィルムはアラインキーと重畳されて、アラインキーより大きい。アラインキーに一対一で対応して、下部基板のパッド領域には複数のアラインマークが形成される。アラインマークは場合にしたがって上部基板の左右下端または左右上端に形成されることができる。前記アライン手段とビジョンシステムを利用したアライン過程に対しては本願出願人によって既出願された出願番号１０−２００８−００５５４２８によって詳しく説明されている。ブラックストライプパターンは立体映像の上/下視野角位置で左目イメージと右目イメージが重なったように見える現象すなわち、クロストークを防止する役目をする。
【００２７】
イメージ表示部分に形成されるリターダパターンそれぞれは複屈折媒質を利用して光の位相をλ(波長)／４位遅延させる。第１リターダパターンと第２リターダパターンの光軸はお互いに直交される。したがって、第１リターダパターンは表示パネル２０で左目イメージが表示されるラインと対向するように配置されて左目イメージの光を左円偏光(または右円偏光)に変換する。第２リターダパターンは表示パネル２０で右目イメージが表示されるラインと対向するように配置されて右目イメージの光を右円偏光(または左円偏光)に変換する。
【００２８】
このような、パターンドリターダ３０は表示パネル２０との合着の時、ソースＴＡＢを露出させる、または、ソースＴＡＢ及びゲートＴＡＢを露出させる。
【００２９】
偏光眼鏡１０の左目には左円偏光(または右円偏光)のみを通過させる偏光フィルムが接着されて、偏光眼鏡１０の右目には右円偏光(または左円偏光)のみを通過させる偏光フィルムが接着される。したがって、偏光眼鏡１０を着した観察者は左目で左目イメージのみを見るようになって、右目で右目イメージのみを見るようになって表示パネル２０に表示された映像を立体映像に感じるようになる。
【００３０】
図７、図８及び図１１はパターンドリターダ３０が附着した状態でソースＴＡＢに対するリペアが可能な例を示す。
【００３１】
図７、図８及び図１１を参照すれば、表示パネル２０の下部基板２４は通常パッド部形成のために上部基板２２に比べてそのサイズが大きい。下部基板２４で画素アレイ領域は上部基板２２と重畳される領域に定義されて、パッド領域は前記画素アレイ領域の外領域に定義される。パッド領域にはデータラインから延長されるデータパッドとゲートラインから延長されるゲートパッドが形成される。データパッドはソースＩＣ５０に電気的に接続されて、ゲートパッドはゲートＩＣ７０に電気的に接続される。ソースＩＣ５０はソースＴＣＰ４０に実装された後ＴＡＢ工程を通じてデータパッドに接続される。ソースＴＣＰ４０はソースＰＣＢ（Ｐｒｉｎｔｅｄ Ｃｉｒｃｕｉｔ Ｂｏａｒｄ : ８０)に電気的に接続されて、コントローラ９０からの駆動信号をソースＩＣ５０に供給する。ゲートＴＣＰ７０はラインオンクラス（Ｌｉｎｅ Ｏｎ Ｇｌａｓｓ）方式で下部基板２４のパッド領域に形成された信号ライン（図示せず）を経由してコントローラ９０から入力される駆動信号をゲートＩＣ７０に供給する。信号ラインはソースＴＣＰ４０を経ってソースＰＣＢ８０に電気的に接続される。
【００３２】
パターンドリターダ３０はそのアラインキーが下部基板２４のパッド領域に形成されたアラインマークと整列された状態で表示パネル２０に合着される。パターンドリターダ３０は表示パネル２０と合着された状態でソースＴＡＢを露出させる。このために、パターンドリターダ３０の縦サイズ（Ｙ’）は下部基板２４の縦サイズ（Ｙ）より小さく、上部基板２２の縦サイズ(すなわち、画素アレイ領域の縦サイズ)と同一であるかまたはこれより大きい。その結果、図１１のように表示パネル２０との合着後にソースＴＡＢに損傷または不良が発生になってもソースＴＡＢに対するリペア工程が可能になる。
【００３３】
また、パターンドリターダ３０は表示パネル２０と合着された状態でゲートＴＡＢを露出させないで覆う。このために、パターンドリターダ３０の横サイズ（Ｘ’）は下部基板２４の横サイズ（Ｘ）同一であるかまたはこれより大きい。このようにすることで、合着後の耐振動性または耐衝撃性はどの程度良好に確保される。
【００３４】
図９乃至図１２はパターンドリターダ３０が附着した状態でソースＴＡＢ及びゲートＴＡＢに対するリペアが可能な例を示す。
【００３５】
図９乃至図１２を参照すれば、表示パネル２０の下部基板２４は通常パッド部形成のために上部基板２２に比べてそのサイズが大きい。下部基板２４で画素アレイ領域は上部基板２２と重畳される領域に定義されて、パッド領域は前記画素アレイ領域の外領域に定義される。パッド領域にはデータラインらから延長されるデータパッドとゲートラインから延長されるゲートパッドが形成される。データパッドはソースＩＣ５０に電気的に接続されて、ゲートパッドはゲートＩＣ７０に電気的に接続される。ソースＩＣ５０はソースＴＣＰ４０に実装された後ＴＡＢ工程を通じてデータパッドに接続される。ソースＴＣＰ４０はソースＰＣＢ８０に電気的に接続されて、コントローラ９０からの駆動信号をソースＩＣ５０に供給する。ゲートＴＣＰ７０はラインオンクラス方式で下部基板２４のパッド領域に形成された信号ライン（図示せず）を経由してコントローラ９０から入力される駆動信号をゲートＩＣ７０に供給する。信号ラインはソースＴＣＰ４０を経ってソースＰＣＢ８０に電気的に接続される。
【００３６】
パターンドリターダ３０はそのアラインキーが上部基板２２に形成されたアラインマークと整列された状態で表示パネル２０に合着される。パターンドリターダ３０は表示パネル２０と合着された状態でソースＴＡＢ及びゲートＴＡＢを露出させる。このために、パターンドリターダ３０の縦サイズ（Ｙ’）は下部基板２４の縦サイズ（Ｙ）より小さく、上部基板２２の縦サイズ(すなわち、画素アレイ領域の縦サイズ)と同一であるかまたはこれより大きい。また、パターンドリターダ３０の横サイズ（Ｘ’）は下部基板２４の横サイズ（Ｘ）より小さく、上部基板２２の横サイズ(すなわち、画素アレイ領域の横サイズ)と同一であるかまたはこれより大きい。その結果、図１１のように表示パネル２０との合着後にソースＴＡＢに損傷または不良が発生されてもソースＴＡＢに対するリペア工程が可能になって、図１２のように表示パネル２０との合着後にゲートＴＡＢに損傷または不良が発生されてもゲートＴＡＢに対するリペア工程が可能になる。
【００３７】
一方、この場合パターンドリターダ３０の厚さを３ｍｍ以下にすることが望ましい。このようにパターンドリターダ３０の厚さを薄くすればパターンドリターダ３０の重さが軽くなるから、その横及び縦サイズを上部基板２２のサイズと同一にしても耐振動性または耐衝撃性を確保することができて、信頼性に問題がない。
【００３８】
以上、添付図面を参照しながら本発明の好適な実施形態について詳細に説明したが、本発明はかかる例に限定されない。本発明の属する技術の分野における通常の知識を
有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００３９】
本発明は、眼鏡方式の立体映像表示装置に適用可能である。
【符号の説明】
【００４０】
１      バックライトユニット
２      表示パネル
３      パターンドリターダ
４      ソースＴＣＰ
５      ソースＩＣ   
６      ゲートＴＣＰ
７      ゲートＩＣ
１０      偏光眼鏡
２０      表示パネル
２４      下部基板２４
３０      パターンドリターダ
４０      ソースＴＣＰ４０
５０      ソースＩＣ
７０      ゲートＩＣ
８０      ソースＰＣＢ８０
９０      コントローラ９０
【図１】
2011034045.tif 000003
【図２】
2011034045.tif 000004
【図３】
2011034045.tif 000005
【図４】
2011034045.tif 000006
【図５】
2011034045.tif 000007
【図６】
2011034045.tif 000008
【図７】
2011034045.tif 000009
【図８】
2011034045.tif 000010
【図９】
2011034045.tif 000011
【図１０】
2011034045.tif 000012
【図１１】
2011034045.tif 000013
【図１２】
2011034045.tif 000014